(57)【要約】    【課題】  非接触ＩＣカードに対する情報の読み出しや書き込みを行う際に非接触ＩＣカード用リーダ／ライタを用意することを不要とした携帯端末装置を提供する。    【解決手段】  携帯端末１０１の携帯端末制御部２０１は、情報処理装置１０３からの受信情報を非接触ＩＣカードインタフェース２０４により非接触ＩＣカード１０５に転送し、非接触ＩＣカード１０５からの受信情報を非接触ＩＣカードインタフェース２０４により情報処理装置１０３に転送する。非接触ＩＣカードインタフェース２０４が非接触ＩＣカード１０５と通信中の場合、情報処理装置１０３からの受信情報を非接触ＩＣカード１０５に転送し、非接触ＩＣカードインタフェース２０４が非接触ＩＣカード１０５と通信中でない場合、情報処理装置１０３からの受信情報に応じた非接触ＩＣカードインタフェース部メモリ２０８への読み出し／書き込みを行う。【選択図】      図５
2006313987.tif 000002
【特許請求の範囲】
【請求項１】
接続手段に着脱可能に装着されると共に前記接続手段を介して情報処理装置と通信を行う携帯端末装置であって、
非接触通信を行う無線通信手段と、
前記接続手段への装着状態に応じて、受信した磁界又は電界により誘導される電力により非接触通信を行う第１のモードと、前記無線通信手段から磁界又は電界を発生する第２のモードとを切替える切替手段と、を備えることを特徴とする携帯端末装置。
【請求項２】
前記情報処理装置から受信した情報を前記無線通信手段により非接触ＩＣカードに転送し、前記非接触ＩＣカードから受信した情報を前記情報処理装置に転送する転送手段を更に備えることを特徴とする請求項１記載の携帯端末装置。
【請求項３】
前記接続手段が充電機能を有する場合に、前記接続手段から前記携帯端末装置に対する充電状況に基づき前記接続手段に対する前記携帯端末装置の装着を検知する検知手段を更に備えることを特徴とする請求項１又は２記載の携帯端末装置。
【請求項４】
前記転送手段は、前記無線通信手段が前記非接触通信中の場合は、前記情報処理装置から受信した情報を非接触通信により転送し、前記無線通信手段が前記非接触通信中でない場合は、前記情報処理装置から受信した情報を前記携帯端末装置内部で処理することを特徴とする請求項２記載の携帯端末装置。
【請求項５】
記憶手段を更に備え、
前記転送手段は、前記無線通信手段が前記非接触通信中でない場合は、前記記憶手段に前記情報処理から受信した情報に応じた読み出し又は書き込みを行うことを特徴とする請求項４記載の携帯端末装置。
【請求項６】
前記通信中とは、前記無線通信手段が非接触ＩＣカードを検出してから通信を終了するまでの間であることを特徴とする請求項４又は５記載の携帯端末装置。
【請求項７】
前記転送手段は、前記情報処理装置から受信した情報が前記非接触ＩＣカードを指定している場合は、前記情報処理装置から受信した情報を前記非接触ＩＣカードに転送し、前記情報処理装置から受信した情報が前記携帯端末装置を指定している場合は、前記情報処理装置から受信した情報を前記携帯端末装置内部で処理することを特徴とする請求項２記載の携帯端末装置。
【請求項８】
前記転送手段は、前記情報処理装置から受信した情報が前記携帯端末装置を指定している場合は、前記記憶手段に前記情報処理から受信した情報に応じた読み出し又は書き込みを行うことを特徴とする請求項７記載の携帯端末装置。
【請求項９】
前記第１のモードは、リーダ／ライタが発生する電界又は磁界により誘導される電力により動作し、前記第２のモードは、電源供給手段から供給される電力により動作するモードであり、
前記無線通信手段は、前記携帯端末装置が前記接続手段に装着されていない場合は前記第１のモードで動作し、前記携帯端末装置が前記接続手段に装着されている場合は前記第２のモードで動作することを特徴とする請求項１記載の携帯端末装置。
【請求項１０】
携帯端末装置と、
情報処理装置と、
前記携帯端末装置が着脱可能に装着されると共に前記携帯端末装置と前記情報処理装置を通信可能に接続する接続手段とを備え、
前記携帯端末装置は、非接触通信を行う無線通信手段と、前記携帯端末装置が前記接続手段に装着された場合、前記無線通信手段から磁界又は電界を発生させる発生手段と、前記情報処理装置から受信した情報を前記無線通信手段により前記非接触通信により転送し、前記非接触通信により受信した情報を前記無線通信手段により前記情報処理装置に転送する制御手段と、を備えることを特徴とするデータ転送システム。
【請求項１１】
接続手段に着脱可能に装着されると共に前記接続手段を介して情報処理装置と通信を行う携帯端末装置の制御方法であって、
前記接続手段への装着状態に応じて、受信した磁界又は電界により誘導される電力により非接触通信を行う第１のモードと、非接触通信を行うための磁界又は電界を発生する第２のモードと、を切替える
ことを特徴とする制御方法。
【請求項１２】
接続手段に着脱可能に装着されると共に前記接続手段を介して情報処理装置と通信を行う携帯端末装置の制御方法をコンピュータに実行させるプログラムであって、
前記接続手段への装着状態を検出する検出モジュールと、
前記検出モージュールにおける検出結果に応じて、受信した磁界又は電界により誘導される電力により非接触通信を行う第１のモードと、非接触通信を行うための磁界又は電界を発生する第２のモードと、を切替える切替モジュールと、
を備えることを特徴とするプログラム。
【発明の詳細な説明】
【技術分野】
【０００１】
本発明は、非接触通信が可能な携帯端末装置、データ転送システム、制御方法、及びプログラムに関する。
【背景技術】
【０００２】
一般に、携帯電話機は電話帳の機能を備えている。携帯電話機の画面上で通話先の名前を選択すると、選択した名前に該当する電話番号に対する発信が行われるので、ユーザは電話番号を覚えていなくても名前さえ分かっていれば電話をかけることができる。携帯電話機において名前や電話番号を入力する方法としては、携帯電話機の操作キーを用いて入力するのが一般的な方法である。しかしながら、携帯電話機を買い換えた場合などに、ユーザが新規の携帯電話機に対して多くの電話番号を操作キーにより再入力（登録）することは不便である。
【０００３】
上記のような不便さを解消する手段として、携帯電話機とパーソナルコンピュータ（ＰＣ）との間をケーブルで接続し、携帯電話機とＰＣとの間で情報の送受信を行うことで、ＰＣにより電話帳の編集を可能とするシステムが提案されている。この場合、携帯電話機とＰＣとの間の接続は、ＲＳ２３２ＣケーブルやＵＳＢ（Universal Serial Bus）ケーブル等を用いた有線通信で接続する方式や、Bluetooth（登録商標）や赤外線通信等の無線通信で接続する方式などがある。
【０００４】
また、携帯電話機を充電台に載置することで、携帯電話機を充電台を介してＰＣと接続する技術がある（例えば、特許文献１参照）。携帯電話機とＰＣとの接続に充電台を用いることにより、有線通信用のケーブルを携帯電話機に接続する場合の手間や、無線通信を起動させる場合の手間などを解消することができる。
【０００５】
近年は、非接触ＩＣカードインタフェースを装備した携帯電話機が開発されており、携帯電話機において非接触ＩＣカードと同様の機能を実現できるようになっている。例えば、非接触ＩＣカードインタフェースを装備した携帯電話機を、決済機能を有する装置に接続されたリーダ／ライタに近づけることにより、携帯電話機を電子マネーとして利用することができる。また、非接触ＩＣカードインタフェースを装備した携帯電話機を、駅の自動改札口のリーダ／ライタに近づけることにより、携帯電話機を電子定期券として利用することができる。
【０００６】
上記のように携帯電話機を電子マネーや電子定期券として利用した場合は、その利用に関する履歴や残高等の情報が携帯電話機のメモリに格納される。そこで、上記特許文献１で開示されているような携帯電話機を充電台を介してＰＣと接続する技術を用いれば、ＰＣにより、携帯電話機のメモリに格納されている履歴や残高を読み出したり、場合によっては履歴や残高をメモリに書き込んだりすることが可能である。
【特許文献１】特開２００３−１６３７３５号公報
【発明の開示】
【発明が解決しようとする課題】
【０００７】
しかしながら、携帯電話機のメモリではなく非接触ＩＣカードの情報を読み出したり書き込んだりするためには、非接触ＩＣカード用リーダ／ライタを用意してＰＣに接続しなければならない。従って、携帯電話機と非接触ＩＣカードの両方を所持しているユーザが、携帯電話機のメモリ及び非接触ＩＣカードの両方の情報を読み出したい場合は、上記特許文献１に示した充電台と非接触ＩＣカード用リーダ／ライタの二つのインタフェースを用意しなければならないという欠点がある。
【０００８】
本発明の目的は、非接触通信による情報の読み出しや書き込みを行う際にリーダ／ライタを用意することを不要とした携帯端末装置、データ転送システム、制御方法、及びプログラムを提供することにある。
【課題を解決するための手段】
【０００９】
上述の目的を達成するために、本発明の携帯端末装置は、接続手段に着脱可能に装着されると共に前記接続手段を介して情報処理装置と通信を行う携帯端末装置であって、非接触通信を行う無線通信手段と、前記接続手段への装着状態に応じて、受信した磁界又は電界により誘導される電力により非接触通信を行う第１のモードと、前記無線通信手段から磁界又は電界を発生する第２のモードとを切替える切替手段と、を備えることを特徴とする。
【００１０】
上述の目的を達成するために、本発明のデータ転送システムは、携帯端末装置と、情報処理装置と、前記携帯端末装置が着脱可能に装着されると共に前記携帯端末装置と前記情報処理装置を通信可能に接続する接続手段とを備え、前記携帯端末装置は、非接触通信を行う無線通信手段と、前記携帯端末装置が前記接続手段に装着された場合、前記無線通信手段から磁界又は電界を発生させる発生手段と、前記情報処理装置から受信した情報を前記無線通信手段により前記非接触通信により転送し、前記非接触通信により受信した情報を前記無線通信手段により前記情報処理装置に転送する制御手段と、を備えることを特徴とする。
【発明の効果】
【００１１】
本発明によれば、情報処理装置と接続する接続手段への装着状態に応じて、非接触通信を行う際のモードを変更するので、例えば、携帯端末装置を持ち歩いているときには、携帯端末装置を非接触ＩＣカードとして利用し、クレードルに装着するとリーダ／ライタとして利用することができ。これにより、携帯端末装置の利便性を向上させることができる。
【発明を実施するための最良の形態】
【００１２】
以下、本発明の実施の形態を図面を参照して説明する。
【００１３】
［第１の実施の形態］
図１は、本発明の第１の実施の形態に係るデータ転送システムの構成を示す概略図である。
【００１４】
図１において、データ転送システムは、携帯端末装置（以下「携帯端末」と略称する）１０１、クレードル１０２、情報処理装置１０３、非接触ＩＣカード１０５から構成されている。
【００１５】
携帯端末１０１は、具体的には、携帯電話機もしくはＰＤＡ（Personal Digital Assistance）等として構成されている。クレードル１０２は、携帯端末１０１が着脱可能に載置される充電台であり、携帯端末１０１をケーブル１０４を介して情報処理装置１０３と接続し、携帯端末及び情報処理装置間のデータの送受信や携帯端末１０１のバッテリの充電を行う機能を有する。情報処理装置１０３は、具体的には、パーソナルコンピュータ（ＰＣ）として構成されている。ケーブル１０４は、クレードル１０２と情報処理装置１０３とを接続する。非接触ＩＣカード１０５は、無線通信により情報の書き込み／読み出しが可能な記憶媒体である。
【００１６】
図２は、携帯端末１０１の構成を示すブロック図である。
【００１７】
図２において、携帯端末１０１は、携帯端末制御部２０１、ＲＯＭ（Read Only Memory）２０２、ＲＡＭ（Random Access Memory）２０３、非接触ＩＣカードインタフェース２０４、データ端子２０９、非接触ＩＣカードインタフェース電源供給部２１０、充電端子２１１、バッテリ２１２、充電回路２１３を備えている。非接触ＩＣカードインタフェース２０４は、更に、アンテナ２０５、変復調器２０６、非接触ＩＣカードインタフェース制御部２０７、非接触ＩＣカードインタフェース部メモリ２０８を備えている。
【００１８】
携帯端末制御部２０１は、携帯端末１０１の制御を行うものであり、制御プログラムに基づいて、図３、図９、図１１、図１２のフローチャートに示す処理を実行する。携帯端末制御部２０１は、情報処理装置１０３から受信した情報を非接触ＩＣカードインタフェース２０４経由で非接触ＩＣカード１０５に転送し、非接触ＩＣカード１０５から受信した情報を非接触ＩＣカードインタフェース２０４経由で情報処理装置１０３に転送する。ＲＯＭ２０２は、携帯端末１０１の制御プログラム等を格納している読み出し専用メモリである。ＲＡＭ２０３は、ワーク領域やデータの一時格納領域として使用される随時書き込み読み出しメモリである。
【００１９】
非接触ＩＣカードインタフェース２０４は、不図示の非接触ＩＣカード用リーダ／ライタや非接触ＩＣカード１０５との間の無線通信を行うインタフェースである。携帯端末１０１がクレードル１０２に載置されていない場合は、非接触ＩＣカードインタフェース２０４は、非接触ＩＣカード用リーダ／ライタが発生する電波（電界）もしくは磁場（磁界）により誘導される電力により動作するＩＣカードモードとなる。携帯端末１０１がクレードル１０２に載置されている場合は、非接触ＩＣカードインタフェース２０４は、非接触ＩＣカードインタフェース電源供給部２１０から供給される電力により動作するリーダ／ライタモードとなる。
【００２０】
アンテナ２０５は、携帯端末１０１と非接触ＩＣカード１０５との間の無線通信における電波の送受信を行う。変復調器２０６は、信号の変調／復調を行う。非接触ＩＣカードインタフェース制御部２０７は、非接触ＩＣカードインタフェース２０４の制御を司るものであり、プログラムに基づいて、図４、図６、図７のフローチャートに示す処理を実行する。非接触ＩＣカードインタフェース部メモリ２０８は、後述の残高情報や履歴情報等を記憶するメモリである。
【００２１】
データ端子２０９は、携帯端末１０１と情報処理装置１０３との間で送受信を行うデータをクレードル１０２を介して送受信するための端子である。非接触ＩＣカードインタフェース電源供給部２１０は、非接触ＩＣカードインタフェース２０４に電源を供給する。充電端子２１１は、携帯端末１０１に対しクレードル１０２から充電を行うための端子である。バッテリ２１２は、携帯端末１０１各部に電力を供給する電源である。充電回路２１３は、クレードル１０２からバッテリ２１２に対する充電の制御を行う。
【００２２】
次に、上記構成を有する本実施の形態の携帯端末１０１の動作を図３を参照しながら詳細に説明する。
【００２３】
非接触ＩＣカードインタフェース２０４を装備した携帯電話機やＰＤＡ等の携帯端末１０１が、通常の状態、即ちクレードル１０２に載置されていない状態では、非接触ＩＣカードインタフェース２０４は、ＩＣカードモードで動作する。非接触ＩＣカードインタフェース２０４がＩＣカードモードの場合は、携帯端末１０１を電子マネーや電子定期券などの通常の非接触ＩＣカードとしての使用が可能である。携帯端末１０１を非接触ＩＣカード用リーダ／ライタに近づけることにより、携帯端末１０１と該リーダ／ライタとの間で無線通信を行うことで、携帯端末１０１の非接触ＩＣカードインタフェース部メモリ２０８に対する情報の書き込み／読み出しを行う。
【００２４】
携帯端末１０１を電子マネーとして使用する場合は、商店等で商品を購入した際の精算を行うときに、精算所のレジスタに付設されているリーダ／ライタに携帯端末１０１を近づけて無線通信を行わせる。これに伴い、携帯端末１０１の非接触ＩＣカードインタフェース部メモリ２０８から残高情報が読み出された後、残高から精算額だけ引かれた額が再び残高情報として、リーダ／ライタにより非接触ＩＣカードインタフェース部メモリ２０８へ書き込まれる。
【００２５】
携帯端末１０１を電子定期券として使用する場合は、非接触自動改札システムが設置されている駅の改札口のリーダ／ライタに携帯端末１０１を近づけて無線通信を行わせる。これに伴い、携帯端末１０１の非接触ＩＣカードインタフェース部メモリ２０８から定期券の区間・有効期限・チャージ額等の情報が読み出される。定期券の区間外の場合は、チャージ額から乗り越し金額だけ引かれた額が再び、リーダ／ライタにより非接触ＩＣカードインタフェース部メモリ２０８へ書き込まれる。
【００２６】
また、上記のように携帯端末１０１を電子マネーや電子定期券として使用した場合は、携帯端末１０１を使用した日時・場所・取引金額等の履歴情報も非接触ＩＣカードインタフェース部メモリ２０８へ書き込まれる。
【００２７】
また、上記のように非接触ＩＣカードインタフェース２０４がＩＣカードモードの場合は、非接触ＩＣカードインタフェース電源供給部２１０から非接触ＩＣカードインタフェース２０４へは給電は行われない。そのため、ＩＣカードモードでは、非接触ＩＣカードインタフェース２０４は、リーダ／ライタが発生する電波（電界）もしくは磁場（磁界）により誘導される電力により動作を行う。他方、非接触ＩＣカードインタフェース２０４がリーダ／ライタモードの場合は、非接触ＩＣカードインタフェース電源供給部２１０から非接触ＩＣカードインタフェース２０４へ給電が行われる。
【００２８】
図３は、携帯端末１０１の動作を示すフローチャートである。
【００２９】
図３において、ステップＳ３０１で本処理が開始される。まず、ユーザが携帯端末１０１をクレードル１０２に載置する。携帯端末１０１の携帯端末制御部２０１は、携帯端末１０１とクレードル１０２との接続とを検知し（ステップＳ３０２でＹＥＳ）、非接触ＩＣカードインタフェース２０４をＩＣカードモードからリーダ／ライタモードに切り替える（ステップＳ３０３）。
【００３０】
リーダ／ライタモードでは、携帯端末制御部２０１は、非接触ＩＣカードインタフェース電源供給部２１０から非接触ＩＣカードインタフェース２０４に対して給電を行い、非接触ＩＣカードインタフェース２０４に電波（電界）もしくは磁場（磁界）を発生させる。ユーザが非接触ＩＣカード１０５を非接触ＩＣカードインタフェース２０４に近づけることで、非接触ＩＣカードインタフェース２０４が発生する電波もしくは磁場により、非接触ＩＣカード１０５へ電力が誘導される。これにより、非接触ＩＣカード１０５と非接触ＩＣカードインタフェース２０４との間で無線通信が可能になる。
【００３１】
この状態で、携帯端末制御部２０１と非接触ＩＣカードインタフェース制御部２０７は、非接触ＩＣカード１０５−アンテナ２０５−変復調器２０６−非接触ＩＣカードインタフェース制御部２０７−携帯端末制御部２０１−データ端子２０９の経路でデータ転送が可能なデータ通信路を形成する。これにより、携帯端末１０１とクレードル１０２を介して、非接触ＩＣカード１０５と情報処理装置１０３との間でデータの送受信ができるようにする。携帯端末１０１が本制御を行うことにより、情報処理装置１０３が非接触ＩＣカード１０５のメモリに対する情報の読み出し／書き込みが可能になる。
【００３２】
ユーザが携帯端末１０１をクレードル１０２から外すと、携帯端末制御部２０１は、携帯端末１０１とクレードル１０２との切断を検知し（ステップＳ３０４でＹＥＳ）、非接触ＩＣカードインタフェース２０４をリーダ／ライタモードからＩＣカードモードに切り替える（ステップＳ３０５）。非接触ＩＣカードインタフェース２０４をＩＣカードモードに切り替えることにより、非接触ＩＣカードインタフェース電源供給部２１０から非接触ＩＣカードインタフェース２０４への給電が停止し、非接触ＩＣカードインタフェース２０４からの電波もしくは磁場の発生が停止する。
【００３３】
従って、携帯端末１０１をクレードル１０２から外した状態のＩＣカードモードでは、非接触ＩＣカード１０５を非接触ＩＣカードインタフェース２０４に近づけても電力が誘導されないので、非接触ＩＣカード１０５と非接触ＩＣカードインタフェース２０４との間で無線通信を行うことはできない。
【００３４】
携帯端末１０１の携帯端末制御部２０１が、携帯端末１０１とクレードル１０２との接続を検知（判定）する方法としては、以下のような方法がある。
【００３５】
クレードル１０２は、本実施の形態のように携帯端末１０１への充電機能を備えているものが多いので、例えば充電回路２１３において充電電流を検知することにより、携帯端末１０１がクレードル１０２に接続しているかどうかを判定する方法をとることができる。クレードル１０２が充電機能を備えていない場合でも、携帯端末１０１がクレードル１０２と接続したときに機構的にスイッチが作動するような構造にしておけば、携帯端末制御部２０１が、携帯端末１０１とクレードル１０２との接続を検知することは可能である。
【００３６】
以上説明したように、本実施の形態によれば、非接触ＩＣカード１０５の情報を情報処理装置１０３で読み出しもしくは書き込みを行う際に、非接触ＩＣカードインタフェース２０４を装備した携帯端末１０１を、情報処理装置１０３にケーブル接続されたクレードル１０２に載置する。これにより、情報処理装置１０３から携帯端末１０１を用いて非接触ＩＣカード１０５の情報にアクセスすることが可能となり、従来のように非接触ＩＣカード用リーダ／ライタを用意する必要がなくなるという効果がある。
【００３７】
［第２の実施の形態］
本発明の第２の実施の形態は、上述した第１の実施の形態に対して、下記の点において相違する。本実施の形態のその他の要素は、上述した第１の実施の形態（図１、図２）の対応するものと同一なので、説明を省略する。
【００３８】
本実施の形態は、携帯端末１０１において情報処理装置１０３からクレードル１０２を介して受信した情報が、非接触ＩＣカード１０５に対する情報であるか携帯端末１０１に対する情報であるかを判断し、判断結果に応じて情報を転送する方法を提供するものである。
【００３９】
携帯端末１０１は、非接触ＩＣカードの機能を備えており、非接触ＩＣカードインタフェース部メモリ２０８には、非接触ＩＣカード機能の使用に関する履歴や残高等の情報が格納されている。例えば、携帯端末１０１が電子マネーの非接触ＩＣカードの機能を備えている場合は、非接触ＩＣカードインタフェース部メモリ２０８には、電子マネーによる取引に関する履歴や残高等の情報が格納されている。
【００４０】
本実施の形態では、上述した第１の実施の形態と同様に、携帯端末１０１がクレードル１０２に載置されている場合は、非接触ＩＣカードインタフェース２０４がリーダ／ライタモードになっている。非接触ＩＣカード１０５を携帯端末１０１に近づけると、両者間で無線通信を行うことができるようになっている。
【００４１】
図４は、携帯端末１０１の非接触ＩＣカードインタフェース制御部２０７の動作を示すフローチャートであり、図５は、非接触ＩＣカード１０５、非接触ＩＣカードインタフェース制御部２０７、携帯端末制御部２０１、情報処理装置１０３の間の通信を示すシーケンス図である。
【００４２】
図４及び図５において、携帯端末１０１がクレードル１０２に載置されている状態で、情報処理装置１０３から非接触ＩＣカード１０５のメモリに対する情報の読み出し／書き込みを行おうとした場合、情報処理装置１０３からクレードル１０２を介して携帯端末１０１の携帯端末制御部２０１に対してデータアクセス要求（Ｍ５０１）を送信する。携帯端末制御部２０１は、データアクセス要求（Ｍ５０１）を受信すると、非接触ＩＣカードインタフェース制御部２０７に対してデータアクセス要求（Ｍ５０１）を転送する。
【００４３】
非接触ＩＣカードインタフェース制御部２０７は、データアクセス要求（Ｍ５０１）を受信すると（ステップＳ４０２でＹＥＳ）、以下の処理を行う。非接触ＩＣカードインタフェース制御部２０７は、携帯端末１０１が非接触ＩＣカード１０５と通信中の場合は（ステップＳ４０３でＹＥＳ）、データアクセス要求（Ｍ５０３）を非接触ＩＣカード１０５に対して転送する（ステップＳ４０４）。
【００４４】
非接触ＩＣカードインタフェース制御部２０７は、携帯端末１０１が非接触ＩＣカード１０５と通信中でない場合は（ステップＳ４０３でＮＯ）、非接触ＩＣカードインタフェース部メモリ２０８にアクセス要求に応じた読み出し／書き込みを行う（ステップＳ４０７）。更に、非接触ＩＣカードインタフェース制御部２０７は、データアクセス応答（Ｍ５０２）を携帯端末制御部２０１に対して送信する（ステップＳ４０８）。
【００４５】
非接触ＩＣカードインタフェース制御部２０７は、データアクセス要求（Ｍ５０３）を非接触ＩＣカード１０５に対して転送した場合（ステップＳ４０４）、非接触ＩＣカード１０５からデータアクセス応答（Ｍ５０４）を待ち受けている。非接触ＩＣカードインタフェース制御部２０７は、データアクセス応答（Ｍ５０４）を非接触ＩＣカード１０５から受信した場合（ステップＳ４０５でＹＥＳ）、データアクセス応答（Ｍ５０２）を携帯端末制御部２０１に対して送信する。データアクセス応答（Ｍ５０２）を受信した携帯端末制御部２０１は、データアクセス応答（Ｍ５０２）をクレードル１０２を介して情報処理装置１０３に転送する。
【００４６】
非接触ＩＣカードインタフェース２０４における通信中か否かの判断は次のように行う。非接触ＩＣカードインタフェース２０４が非接触ＩＣカード１０５を検出してから、通信終了のネゴシエーションを行って通信を終了するまでか、通信のエラーにより通信を終了するまでを通信中とする。もしくは、非接触ＩＣカードインタフェース２０４が非接触ＩＣカード１０５と通信開始のネゴシエーションを行ってから、通信終了のネゴシエーションを行って通信を終了するまでか、通信のエラーにより通信を終了するまでを通信中とする。
【００４７】
本実施の形態では、携帯端末１０１に送信される情報処理装置１０３からのデータアクセス要求（Ｍ５０１）は、非接触ＩＣカード１０５を携帯端末１０１に近づけて通信を行っている場合は、非接触ＩＣカード１０５に対するものとなり、通信を行っていない場合は、携帯端末１０１に対するものとなる。
【００４８】
例えば、ユーザが電子マネー会社Ａで発行している非接触ＩＣカード１０５Ａを所持しており、電子マネー会社Ｂで発行している非接触ＩＣカードの機能は携帯端末１０１に内蔵されている場合を想定する。情報処理装置１０３で電子マネーの履歴や残高を読み取るソフトウェアを起動させると、以下の読み取り動作が可能である。
【００４９】
非接触ＩＣカード１０５Ａを携帯端末１０１に近づけて通信している場合は、情報処理装置１０３では、非接触ＩＣカード１０５Ａに格納されている電子マネー会社Ａに関する履歴や残高を読み取ることができる。携帯端末１０１がいずれの非接触ＩＣカードとも通信を行っていない場合は、情報処理装置１０３では、携帯端末１０１の非接触ＩＣカードインタフェース部メモリ２０８に格納されている電子マネー会社Ｂに関する履歴や残高を読み取ることができる。
【００５０】
以上説明したように、本実施の形態によれば、非接触ＩＣカード１０５の情報を情報処理装置１０３で読み出しもしくは書き込みを行う際に、非接触ＩＣカードインタフェース２０４を装備した携帯端末１０１を、情報処理装置１０３にケーブル接続されたクレードル１０２に載置する。これにより、情報処理装置１０３から携帯端末１０１を用いて非接触ＩＣカード１０５の情報にアクセスすることが可能となり、従来のように非接触ＩＣカード用リーダ／ライタを用意する必要がなくなるという効果がある。
【００５１】
更に、非接触ＩＣカード１０５と携帯端末１０１に対する情報処理装置１０３からの情報のアクセスの切り替えを、ユーザの意図を反映して自動的に行うことができるようになるという効果がある。
【００５２】
［第３の実施の形態］
本発明の第３の実施の形態は、上述した第１の実施の形態に対して、下記の点において相違する。本実施の形態のその他の要素は、上述した第１の実施の形態（図１、図２）の対応するものと同一なので、説明を省略する。
【００５３】
本実施の形態は、携帯端末１０１において情報処理装置１０３からクレードル１０２を介して受信した情報が、非接触ＩＣカード１０５に対する情報であるか携帯端末１０１に対する情報であるかを判断し、判断結果に応じて情報を転送する方法を提供するものである。
【００５４】
携帯端末１０１は、非接触ＩＣカードの機能を備えており、非接触ＩＣカードインタフェース部メモリ２０８には、非接触ＩＣカード機能の使用に関する履歴等の情報が格納されている。例えば、携帯端末１０１が電子マネーの非接触ＩＣカードの機能を備えている場合は、非接触ＩＣカードインタフェース部メモリ２０８には、電子マネーの取引に関する履歴や残高等の情報が格納されている。
【００５５】
本実施の形態では、上述した第１の実施の形態と同様に、携帯端末１０１がクレードル１０２に載置されている場合は、非接触ＩＣカードインタフェース２０４がリーダ／ライタモードになっている。非接触ＩＣカード１０５を携帯端末１０１に近づけると、両者間で無線通信を行うことができるようになっている。
【００５６】
図６及び図７は、携帯端末１０１の非接触ＩＣカードインタフェース制御部２０７の動作を示すフローチャートであり、図８は、非接触ＩＣカード１０５、非接触ＩＣカードインタフェース制御部２０７、携帯端末制御部２０１、情報処理装置１０３の間の通信を示すシーケンス図である。
【００５７】
図６乃至図８において、携帯端末１０１がクレードル１０２に載置されている状態で、情報処理装置１０３から非接触ＩＣカード１０５のメモリに対する情報の読み出し／書き込みを行おうとした場合、情報処理装置１０３からクレードル１０２を介して携帯端末１０１の携帯端末制御部２０１に対して、アクセス先を指定したデータアクセス要求（Ｍ７０１）を送信する。アクセス先としては、携帯端末１０１もしくは非接触ＩＣカード１０５のいずれかを指定することができる。携帯端末制御部２０１は、データアクセス要求（Ｍ７０１）を受信すると、非接触ＩＣカードインタフェース制御部２０７に対してデータアクセス要求（Ｍ７０１）を転送する。
【００５８】
非接触ＩＣカードインタフェース制御部２０７は、アクセス先として非接触ＩＣカード１０５を指定したデータアクセス要求（Ｍ７０１）を受信すると（ステップＳ６０２及びステップＳ６０３でＹＥＳ）、以下の処理を行う。非接触ＩＣカードインタフェース制御部２０７は、携帯端末１０１が非接触ＩＣカード１０５と通信中の場合は（ステップＳ６０４でＹＥＳ）、データアクセス要求（Ｍ７０４）を非接触ＩＣカード１０５に対して転送する（ステップＳ６０５）。
【００５９】
非接触ＩＣカードインタフェース制御部２０７は、携帯端末１０１が非接触ＩＣカード１０５と通信中でない場合は（ステップＳ６０４でＮＯ）、データアクセス不可（Ｍ７０３）を携帯端末制御部２０１に対して送信する（ステップＳ６０８）。
【００６０】
非接触ＩＣカードインタフェース制御部２０７は、データアクセス要求（Ｍ７０４）を非接触ＩＣカード１０５に対して転送した場合（ステップＳ６０５）、非接触ＩＣカード１０５からデータアクセス応答（Ｍ７０５）を待ち受けている。非接触ＩＣカードインタフェース制御部２０７は、データアクセス応答（Ｍ７０５）を非接触ＩＣカード１０５から受信した場合（ステップＳ６０６でＹＥＳ）、データアクセス応答（Ｍ７０２）を携帯端末制御部２０１に対して送信する（ステップＳ６０７）。
【００６１】
非接触ＩＣカードインタフェース制御部２０７は、アクセス先として携帯端末１０１を指定したデータアクセス要求（Ｍ７０１）を受信すると（ステップＳ６０９でＹＥＳ）、非接触ＩＣカードインタフェース部メモリ２０８にアクセス要求に応じた読み出し／書き込みを行う（ステップＳ６１０）。更に、非接触ＩＣカードインタフェース制御部２０７は、データアクセス応答（Ｍ７０２）を携帯端末制御部２０１に対して送信する（ステップＳ６１１）。
【００６２】
非接触ＩＣカードインタフェース制御部２０７は、アクセス先として非接触ＩＣカード１０５及び携帯端末１０１以外を指定したデータアクセス要求（Ｍ７０１）を受信すると（ステップＳ６０３及びステップＳ６０９でＮＯ）、データアクセス不可（Ｍ７０３）を携帯端末制御部２０１に対して送信する（ステップＳ６１２）。
【００６３】
データアクセス応答（Ｍ７０２）もしくはデータアクセス不可（Ｍ７０３）を受信した携帯端末制御部２０１は、データアクセス応答（Ｍ７０２）もしくはデータアクセス不可（Ｍ７０３）をクレードル１０２を介して情報処理装置１０３に転送する。
【００６４】
非接触ＩＣカードインタフェース２０４における通信中か否かの判断は次のように行う。非接触ＩＣカードインタフェース２０４が非接触ＩＣカード１０５を検出してから、通信終了のネゴシエーションを行って通信を終了するまでか、通信のエラーにより通信を終了するまでを通信中とする。もしくは、非接触ＩＣカードインタフェース２０４が非接触ＩＣカード１０５と通信開始のネゴシエーションを行ってから、通信終了のネゴシエーションを行って通信を終了するまでか、通信のエラーにより通信を終了するまでを通信中とする。
【００６５】
本実施の形態では、情報処理装置１０３から携帯端末１０１か非接触ＩＣカード１０５をアクセス先に指定して、データアクセス要求（Ｍ７０１）を送信することができる。
【００６６】
例えば、ユーザが電子マネー会社Ａで発行している非接触ＩＣカード１０５Ａを所持しており、電子マネー会社Ｂで発行している非接触ＩＣカードの機能は携帯端末１０１に内蔵されている場合を想定する。情報処理装置１０３で電子マネーの履歴や残高を読み取るソフトウェアを起動させると、以下の読み取り動作が可能である。
【００６７】
非接触ＩＣカード１０５Ａを携帯端末１０１に近づけて通信している場合でも、情報処理装置１０３では、携帯端末１０１の非接触ＩＣカードインタフェース部メモリ２０８に格納されている電子マネー会社Ｂに関する履歴や残高を読み取ることができる。
【００６８】
以上説明したように、本実施の形態によれば、非接触ＩＣカード１０５の情報を情報処理装置１０３で読み出しもしくは書き込みを行う際に、非接触ＩＣカードインタフェース２０４を装備した携帯端末１０１を、情報処理装置１０３にケーブル接続されたクレードル１０２に載置する。これにより、情報処理装置１０３から携帯端末１０１を用いて非接触ＩＣカード１０５の情報にアクセスすることが可能となり、従来のように非接触ＩＣカード用リーダ／ライタを用意する必要がなくなるという効果がある。
【００６９】
更に、非接触ＩＣカード１０５と携帯端末１０１とが通信中の場合でも、非接触ＩＣカード１０５及び携帯端末１０１の両方の情報に対して情報処理装置１０３からアクセスすることができるという効果がある。
【００７０】
［第４の実施の形態］
本発明の第４の実施の形態は、上述した第１の実施の形態に対して、下記の点において相違する。本実施の形態のその他の要素は、上述した第１の実施の形態（図１、図２）の対応するものと同一なので、説明を省略する。
【００７１】
本実施の形態は、情報処理装置１０３から携帯端末１０１のＲＯＭ２０２、ＲＡＭ２０３に対してアクセスする方法を提供するものである。
【００７２】
本実施の形態では、上述した第１の実施の形態と同様に、携帯端末１０１がクレードル１０２に載置されている場合は、非接触ＩＣカードインタフェース２０４がリーダ／ライタモードになっている。非接触ＩＣカード１０５を携帯端末１０１に近づけると、両者間で無線通信を行うことができるようになっている。
【００７３】
図９は、携帯端末１０１の携帯端末制御部２０１の動作を示すフローチャートであり、図１０は、非接触ＩＣカード１０５、非接触ＩＣカードインタフェース制御部２０７、携帯端末制御部２０１、情報処理装置１０３の間の通信を示すシーケンス図である。
【００７４】
図９及び図１０において、携帯端末１０１の非接触ＩＣカードインタフェース制御部２０７は、非接触ＩＣカード１０５との通信を開始すると、通信開始通知（Ｍ９０５）を携帯端末制御部２０１に対して送信する。非接触ＩＣカードインタフェース制御部２０７は、非接触ＩＣカード１０５との通信を終了すると、通信終了通知（Ｍ９０６）を携帯端末制御部２０１に対して送信する。携帯端末制御部２０１は、通信開始通知（Ｍ９０５）及び通信終了通知（Ｍ９０６）を受信することにより、非接触ＩＣカードインタフェース２０４が非接触ＩＣカード１０５と通信中かどうかを知ることができる。
【００７５】
非接触ＩＣカードインタフェース２０４における通信中か否かの判断は次のように行う。非接触ＩＣカードインタフェース２０４が非接触ＩＣカード１０５を検出してから、通信終了のネゴシエーションを行って通信を終了するまでか、通信のエラーにより通信を終了するまでを通信中とする。もしくは、非接触ＩＣカードインタフェース２０４が非接触ＩＣカード１０５と通信開始のネゴシエーションを行ってから、通信終了のネゴシエーションを行って通信を終了するまでか、通信のエラーにより通信を終了するまでを通信中とする。
【００７６】
携帯端末１０１がクレードル１０２に載置された状態で、情報処理装置１０３から携帯端末１０１もしくは非接触ＩＣカード１０５のメモリに情報の読み出し／書き込みを行おうとした場合、情報処理装置１０３からクレードル１０２を介して携帯端末制御部２０１に対してデータアクセス要求（Ｍ９０１）を送信する。携帯端末制御部２０１は、データアクセス要求（Ｍ９０１）を受信すると（ステップＳ８０２でＹＥＳ）、以下の処理を行う。携帯端末制御部２０１は、携帯端末１０１が非接触ＩＣカード１０５と通信中の場合は（ステップＳ８０３でＹＥＳ）、データアクセス要求（Ｍ９０３）を非接触ＩＣカードインタフェース２０４を介して非接触ＩＣカード１０５に対して転送する（ステップＳ８０４）。
【００７７】
携帯端末制御部２０１は、携帯端末１０１が非接触ＩＣカード１０５と通信中でない場合は（ステップＳ８０３でＮＯ）、ＲＯＭ２０２もしくはＲＡＭ２０３に対してアクセス要求に応じた読み出し／書き込みを行う（ステップＳ８０７）。更に、携帯端末制御部２０１は、データアクセス応答（Ｍ５０２）をクレードル１０２を介して情報処理装置１０３に対して送信する（ステップＳ８０８）。
【００７８】
携帯端末制御部２０１は、データアクセス要求（Ｍ９０３）を非接触ＩＣカード１０５に対して転送した場合（ステップＳ８０４）、非接触ＩＣカード１０５からデータアクセス応答（Ｍ９０４）を待ち受けている。携帯端末制御部２０１は、データアクセス応答（Ｍ９０４）を非接触ＩＣカード１０５から受信した場合（ステップＳ８０５でＹＥＳ）、データアクセス応答（Ｍ９０２）をクレードル１０２を介して情報処理装置１０３に対して送信する（ステップＳ８０６）。
【００７９】
本実施の形態では、情報処理装置１０３からのデータアクセス要求（Ｍ９０１）は、非接触ＩＣカード１０５を携帯端末１０１に近づけて通信を行っている場合は、非接触ＩＣカード１０５に対するものとなり、通信を行っていない場合は、携帯端末１０１に対するものとなる。
【００８０】
以上説明したように、本実施の形態によれば、非接触ＩＣカード１０５の情報を情報処理装置１０３で読み出しもしくは書き込みを行う際に、非接触ＩＣカードインタフェース２０４を装備した携帯端末１０１を、情報処理装置１０３にケーブル接続されたクレードル１０２に載置する。これにより、情報処理装置１０３から携帯端末１０１を用いて非接触ＩＣカード１０５の情報にアクセスすることが可能となり、従来のように非接触ＩＣカード用リーダ／ライタを用意する必要がなくなるという効果がある。
【００８１】
更に、非接触ＩＣカード１０５と携帯端末１０１に対する情報処理装置１０３からの情報のアクセスの切り替えを、ユーザの意図を反映して自動的に行うことができるようになるという効果がある。
【００８２】
［第５の実施の形態］
本発明の第５の実施の形態は、上述した第１の実施の形態に対して、下記の点において相違する。本実施の形態のその他の要素は、上述した第１の実施の形態（図１、図２）の対応するものと同一なので、説明を省略する。
【００８３】
本実施の形態は、携帯端末１０１において情報処理装置１０３からクレードル１０２を介して受信した情報が、非接触ＩＣカード１０５に対する情報であるか携帯端末１０１に対する情報であるかを判断し、判断結果に応じて情報を転送する方法を提供するものである。
【００８４】
本実施の形態では、上述した第１の実施の形態と同様に、携帯端末１０１がクレードル１０２に載置されている場合は、非接触ＩＣカードインタフェース２０４がリーダ／ライタモードになっている。非接触ＩＣカード１０５を携帯端末１０１に近づけると、両者間で無線通信を行うことができるようになっている。
【００８５】
図１１及び図１２は、携帯端末１０１の携帯端末制御部２０１の動作を示すフローチャートであり、図１３は、非接触ＩＣカード１０５、非接触ＩＣカードインタフェース制御部２０７、携帯端末制御部２０１、情報処理装置１０３の間の通信を示すシーケンス図である。
【００８６】
図１１乃至図１３において、携帯端末１０１の非接触ＩＣカードインタフェース制御部２０７は、非接触ＩＣカード１０５との通信を開始すると、通信開始通知（Ｍ１１０６）を携帯端末制御部２０１に対して送信する。非接触ＩＣカードインタフェース制御部２０７は、非接触ＩＣカード１０５との通信を終了すると、通信終了通知（Ｍ１１０７）を携帯端末制御部２０１に対して送信する。携帯端末制御部２０１は、通信開始通知（Ｍ１１０６）及び通信終了通知（Ｍ１１０７）を受信することにより、非接触ＩＣカードインタフェース２０４が非接触ＩＣカード１０５と通信中かどうかを知ることができる。
【００８７】
非接触ＩＣカードインタフェース２０４における通信中か否かの判断は次のように行う。非接触ＩＣカードインタフェース２０４が非接触ＩＣカード１０５を検出してから、通信終了のネゴシエーションを行って通信を終了するまでか、通信のエラーにより通信を終了するまでを通信中とする。もしくは、非接触ＩＣカードインタフェース２０４が非接触ＩＣカード１０５と通信開始のネゴシエーションを行ってから、通信終了のネゴシエーションを行って通信を終了するまでか、通信のエラーにより通信を終了するまでを通信中とする。
【００８８】
携帯端末１０１がクレードル１０２に載置された状態で、情報処理装置１０３から非接触ＩＣカードのメモリに情報の読み出し／書き込みを行おうとした場合、情報処理装置１０３からクレードル１０２を介して携帯端末制御部２０１に対して、アクセス先を指定したデータアクセス要求（Ｍ１１０１）を送信する。アクセス先としては、携帯端末１０１もしくは非接触ＩＣカード１０５のいずれかを指定することができる。
【００８９】
携帯端末制御部２０１は、アクセス先として非接触ＩＣカード１０５を指定したデータアクセス要求（Ｍ１１０１）を受信すると（ステップＳ１００２及びステップＳ１００３でＹＥＳ）、以下の処理を行う。携帯端末制御部２０１は、携帯端末１０１が非接触ＩＣカード１０５と通信中の場合は（ステップＳ１００４でＹＥＳ）、データアクセス要求（Ｍ１１０４）を非接触ＩＣカードインタフェース２０４を介して非接触ＩＣカード１０５に対して転送する（ステップＳ１１０５）。
【００９０】
携帯端末制御部２０１は、携帯端末１０１が非接触ＩＣカード１０５と通信中でない場合は（ステップＳ１１０４でＮＯ）、データアクセス不可（Ｍ１１０３）をクレードル１０２を介して情報処理装置１０３に対して送信する（ステップＳ１００８）。
【００９１】
携帯端末制御部２０１は、データアクセス要求（Ｍ１１０４）を非接触ＩＣカード１０５に対して転送した場合（ステップＳ１００５）、非接触ＩＣカード１０５からデータアクセス応答（Ｍ１１０５）を待ち受けている。携帯端末制御部２０１は、データアクセス応答（Ｍ１１０５）を非接触ＩＣカード１０５から受信した場合（ステップＳ１００６でＹＥＳ）、データアクセス応答（Ｍ１１０２）をクレードル１０２を介して情報処理装置１０３に対して送信する（ステップＳ１００７）。
【００９２】
携帯端末制御部２０１は、アクセス先として携帯端末１０１を指定したデータアクセス要求（Ｍ１１０１）を受信すると（ステップＳ１００９でＹＥＳ）、ＲＯＭ２０２もしくはＲＡＭ２０３に対してアクセス要求に応じた読み出し／書き込みを行う（ステップＳ１０１０）。更に、携帯端末制御部２０１は、データアクセス応答（Ｍ１１０２）をクレードル１０２を介して情報処理装置１０３に対して送信する（ステップＳ１０１１）。
【００９３】
携帯端末制御部２０１は、アクセス先として非接触ＩＣカード１０５及び携帯端末１０１以外を指定したデータアクセス要求（Ｍ１１０１）を受信すると（ステップＳ１００３及びステップＳ１００９でＮＯ）、データアクセス不可（Ｍ１１０３）をクレードル１０２を介して情報処理装置１０３に対して送信する（ステップＳ１０１２）。
【００９４】
本実施の形態では、情報処理装置１０３から携帯端末１０１か非接触ＩＣカード１０５をアクセス先に指定して、データアクセス要求（Ｍ１１０１）を送信することができる。
【００９５】
以上説明したように、本実施の形態によれば、非接触ＩＣカード１０５の情報を情報処理装置１０３で読み出しもしくは書き込みを行う際に、非接触ＩＣカードインタフェース２０４を装備した携帯端末１０１を、情報処理装置１０３にケーブル接続されたクレードル１０２に載置する。これにより、情報処理装置１０３から携帯端末１０１を用いて非接触ＩＣカード１０５の情報にアクセスすることが可能となり、従来のように非接触ＩＣカード用リーダ／ライタを用意する必要がなくなるという効果がある。
【００９６】
更に、非接触ＩＣカード１０５と携帯端末１０１とが通信中の場合でも、非接触ＩＣカード１０５及び携帯端末１０１の両方の情報に対して情報処理装置１０３からアクセスすることができるという効果がある。
【００９７】
［第６の実施の形態］
本発明の第６の実施の形態は、上述した第１の実施の形態に対して、下記の点において相違する。本実施の形態のその他の要素は、上述した第１の実施の形態（図２）の対応するものと同一なので、説明を省略する。
【００９８】
上述した第１及び第５の実施の形態では、クレードル１０２と情報処理装置１０３との間の通信を、ケーブル１０４を介して行う場合を例に挙げたが、本発明は、これに限定されるものではない。本実施の形態のように、クレードル１０２と情報処理装置１０３との間の通信を、ケーブル１０４を介してではなく、無線ＬＡＮやBluetooth（登録商標）等の無線通信により行う構成としてもよい。
【００９９】
［第７の実施の形態］
本発明の第７の実施の形態は、上述した第１の実施の形態に対して、下記の点において相違する。本実施の形態のその他の要素は、上述した第１の実施の形態（図２）の対応するものと同一なので、説明を省略する。
【０１００】
上述した第１及び第５の実施の形態では、クレードル１０２を置き台の形状とした場合を例に挙げたが、本発明は、これに限定されるものではない。本実施の形態のように、クレードル１０２を図１４に示すようなコネクタ形状に構成してもよい。携帯端末１０１をクレードル１０２に接続する場合は、情報処理装置にケーブル１０４を介して接続されたクレードル１０２のコネクタピンを、携帯端末１０１のコネクタピン受け部（不図示）に接続する。
【０１０１】
［他の実施の形態］
また、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによりも達成される。
【０１０２】
この場合、記憶媒体から読み出されたプログラムコード自体が前述した実施の形態の機能を実現することになり、そのプログラムコード及び該プログラムコードを記憶した記憶媒体は本発明を構成することになる。
【０１０３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【０１０４】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理により前述した実施の形態の機能が実現される場合も含まれる。
【０１０５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理により前述した実施の形態の機能が実現される場合も含まれる。
【０１０６】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理により前述した各実施の形態の機能が実現される場合も、本発明に含まれることは言うまでもない。
【０１０７】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【０１０８】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【０１０９】
【図１】本発明の第１の実施の形態に係るデータ転送システムの構成を示す概略図である。
【図２】携帯端末の構成を示すブロック図である。
【図３】携帯端末の動作を示すフローチャートである。
【図４】本発明の第２の実施の形態に係る携帯端末の非接触ＩＣカードインタフェース制御部の動作を示すフローチャートである。
【図５】非接触ＩＣカード、非接触ＩＣカードインタフェース制御部、携帯端末制御部、情報処理装置の間の通信を示すシーケンス図である。
【図６】本発明の第３の実施の形態に係る携帯端末の非接触ＩＣカードインタフェース制御部の動作を示すフローチャートである。
【図７】図６のフローチャートの続きである。
【図８】非接触ＩＣカード、非接触ＩＣカードインタフェース制御部、携帯端末制御部、情報処理装置の間の通信を示すシーケンス図である。
【図９】本発明の第４の実施の形態に係る携帯端末の携帯端末制御部の動作を示すフローチャートである。
【図１０】非接触ＩＣカード、非接触ＩＣカードインタフェース制御部、携帯端末制御部、情報処理装置の間の通信を示すシーケンス図である。
【図１１】本発明の第５の実施の形態に係る携帯端末の携帯端末制御部の動作を示すフローチャートである。
【図１２】図１１のフローチャートの続きである。
【図１３】非接触ＩＣカード、非接触ＩＣカードインタフェース制御部、携帯端末制御部、情報処理装置の間の通信を示すシーケンス図である。
【図１４】本発明の第７の実施の形態に係るコネクタ形状のクレードルの外観を示す斜視図である。
【符号の説明】
【０１１０】
１０１  携帯端末（携帯端末装置）
１０２  クレードル（接続手段）
１０３  情報処理装置
１０４  ケーブル
１０５  非接触ＩＣカード
２０１  携帯端末制御部（転送手段、検知手段）
２０２  ＲＯＭ（記憶手段）
２０３  ＲＡＭ（記憶手段）
２０４  非接触ＩＣカードインタフェース（無線通信手段）
２０７  非接触ＩＣカードインタフェース制御部
２０８  非接触ＩＣカードインタフェース部メモリ（記憶手段）
２１０  非接触ＩＣカードインタフェース電源供給部（発生手段）
【図１】
2006313987.tif 000003
【図２】
2006313987.tif 000004
【図３】
2006313987.tif 000005
【図４】
2006313987.tif 000006
【図５】
2006313987.tif 000007
【図６】
2006313987.tif 000008
【図７】
2006313987.tif 000009
【図８】
2006313987.tif 000010
【図９】
2006313987.tif 000011
【図１０】
2006313987.tif 000012
【図１１】
2006313987.tif 000013
【図１２】
2006313987.tif 000014
【図１３】
2006313987.tif 000015
【図１４】
2006313987.tif 000016